(57)【特許請求の範囲】
【請求項１】
軟磁性材料粉末の圧縮成形品である中心コア（２３）と、
該中心コア（２３）に巻回された一次コイル（２１）と、
該一次コイル（２１）の外周側に配設された二次コイル（２２）と、
熱硬化性樹脂からなり、上記中心コア（２３）、上記一次コイル（２１）及び上記二次コイル（２２）を覆うモールド樹脂部（２９）とを備え、
上記中心コア（２３）の表面（２３０）の少なくとも上記一次コイル（２１）が巻回される部分は、熱硬化性樹脂からなる樹脂被膜（４１）によって被覆されており、
少なくとも該樹脂被膜（４１）の表面は、弾性を有する弾性被膜（４２）によって被覆されており、
上記一次コイル（２１）は、上記弾性被膜（４２）の表面に直接巻回されていることを特徴とする内燃機関用の点火コイル（１）。
【請求項２】
請求項１に記載の点火コイル（１）において、上記樹脂被膜（４１）は、上記中心コア（２３）の外周面（２３３）を被覆しており、
上記弾性被膜（４２）は、上記樹脂被膜（４１）の表面、並びに上記中心コア（２３）の軸方向一端面（２３１）及び軸方向他端面（２３２）の少なくとも角部を被覆していることを特徴とする内燃機関用の点火コイル（１）。
【請求項３】
請求項１又は２に記載の点火コイル（１）において、上記樹脂被膜（４１）は、エポキシ樹脂からなることを特徴とする内燃機関用の点火コイル（１）。
【請求項４】
請求項１〜３のいずれか１項に記載の点火コイル（１）において、上記樹脂被膜（４１）は、熱硬化性樹脂粉体を塗装してなることを特徴とする内燃機関用の点火コイル（１）。
【請求項５】
請求項１〜４のいずれか１項に記載の点火コイル（１）において、上記一次コイル（２１）及び上記二次コイル（２２）の外周側には、軟磁性材料粉末を圧縮成形してなり、上記モールド樹脂部（２９）によって覆われた外周コア（２４）が配設されており、該外周コア（２４）は、少なくとも一部が上記弾性被膜（４２）によって被覆されていることを特徴とする内燃機関用の点火コイル（１）。
【請求項６】
請求項１〜５のいずれか１項に記載の点火コイル（１）において、上記弾性被膜（４２）は、シリコーン系樹脂からなることを特徴とする内燃機関用の点火コイル（１）。
【発明の詳細な説明】
【技術分野】
【０００１】
本発明は、内燃機関の燃焼室に配設されたスパークプラグにスパークを発生させるための内燃機関用の点火コイルに関する。
【背景技術】
【０００２】
エンジン等の内燃機関に用いる点火コイルは、同心状に内外周に重ねて配置された一次コイル及び二次コイル、軟磁性材料からなり、一次コイル及び二次コイルの軸心位置に配置された中心コア等を備えている。一次コイル、二次コイル及び中心コア等は、ケース内に配置されており、ケース内の隙間は、エポキシ樹脂等の熱硬化性樹脂によって充填されている。
【０００３】
例えば、特許文献１には、軟磁性材料からなる多数の電磁鋼板（珪素鋼板）を積層して形成された中心コアの表面をシリコーンゴム等の弾性部材によって被覆した点火コイルが開示されている。これによれば、点火コイルにおける加熱及び冷却の繰り返しにより中心コアとその周囲を覆う熱硬化性樹脂との間に発生する熱応力を弾性部材によって緩和し、熱硬化性樹脂におけるクラックの発生を抑制することができる。
【先行技術文献】
【特許文献】
【０００４】
【特許文献１】特許第３６０４９１７号公報
【発明の概要】
【発明が解決しようとする課題】
【０００５】
しかしながら、点火コイルの中心コアとして、軟磁性材料粉末を圧縮成形したものを用い、その中心コアに一次コイルを巻回する構成とした場合、次のような問題が生じる。すなわち、圧縮成形した中心コアの表面には、潤滑剤の酸化物等の異物が残留していることがある。そのため、中心コアに直接一次コイルを巻回させると、表面に残留している異物によって一次コイルの電線を被覆する絶縁被膜に損傷が生じるおそれがある。これにより、点火コイルの使用中に一次コイルがレアショート（巻線同士のショート）を起こし、コイル出力が低下するおそれがある。
【０００６】
また、上記特許文献１のように、中心コアの表面を弾性部材によって被覆したとしても、上述した問題が同様に生じる。すなわち、弾性部材は、熱応力を緩和するためのものであり、弾性を有する。そのため、中心コアの表面を被覆する弾性部材上に一次コイルを巻回させても、その一次コイルは、やはり中心コアの表面に残留した異物の影響を受けるおそれがある。
【０００７】
本発明は、かかる背景に鑑みてなされたもので、中心コアに巻回される一次コイルの絶縁性を十分に確保し、耐熱衝撃性を向上させることができる内燃機関用の点火コイルを提供しようとするものである。
【課題を解決するための手段】
【０００８】
本発明の一の態様は、軟磁性材料粉末の圧縮成形品である中心コアと、
該中心コアに巻回された一次コイルと、
該一次コイルの外周側に配設された二次コイルと、
熱硬化性樹脂からなり、上記中心コア、上記一次コイル及び上記二次コイルを覆うモールド樹脂部とを備え、
上記中心コアの表面の少なくとも上記一次コイルが巻回される部分は、熱硬化性樹脂からなる樹脂被膜によって被覆されており、
少なくとも該樹脂被膜の表面は、弾性を有する弾性被膜によって被覆されており、
上記一次コイルは、上記弾性被膜の表面に直接巻回されていることを特徴とする内燃機関用の点火コイルにある。
【発明の効果】
【０００９】
上記点火コイルにおいて、軟磁性材料粉末を圧縮成形してなる中心コアの表面の少なくとも一次コイルが巻回される部分は、熱硬化性樹脂からなる樹脂被膜によって被覆されている。そのため、圧縮成形によって中心コアの表面に異物が残留したとしても、樹脂被膜によってその異物の影響を受けることなく、中心コアに直接一次コイルを巻回することができる。これにより、一次コイルの電線を被覆する絶縁被膜が中心コアの表面に残留する異物によって損傷することを防止することができ、一次コイルの絶縁性を十分に確保することができる。
【００１０】
また、樹脂被膜によって被覆された中心コアの少なくとも一部は、弾性を有する弾性被膜によって被覆されている。そのため、点火コイルにおける加熱及び冷却の繰り返しにより中心コアとその周囲を覆うモールド樹脂部との間に発生する熱応力を弾性被膜によって緩和することができ、モールド樹脂部におけるクラックの発生を抑制することができる。これにより、中心コアに巻回される一次コイルの絶縁性を十分に確保しながら、耐熱衝撃性を向上させることができる。
【００１１】
このように、中心コアに巻回される一次コイルの絶縁性を十分に確保し、耐熱衝撃性を向上させることができる内燃機関用の点火コイルを提供することができる。
【図面の簡単な説明】
【００１２】
【図１】実施例１における、点火コイルを示す断面説明図。
【図２】実施例１における、点火コイルを示す平面説明図。
【図３】実施例１における、中心コア及び外周コアを示す断面説明図。
【図４】実施例１における、点火コイルをエンジンに取り付けた状態を示す断面説明図。
【図５】実施例２における、樹脂被膜の厚みと二次スプールに発生する電界強度との関係を示すグラフ。
【発明を実施するための形態】
【００１３】
上記点火コイルにおいて、上記樹脂被膜によって被覆された上記中心コアは、少なくとも一部が弾性を有する弾性被膜によって被覆されている。例えば、中心コアの表面に樹脂被膜が設けられている部分においては、その樹脂被膜上に弾性被膜が設けられることになる。また、中心コアの表面に樹脂被膜が設けられていない部分においては、中心コアの表面上に弾性被膜が設けられることになる。
【００１４】
また、上記樹脂被膜は、エポキシ樹脂からなる構成とすることができる。
この場合には、中心コアの表面がエポキシ樹脂からなる高硬度で平滑な樹脂被膜によって被覆されることになる。これにより、一次コイルの絶縁被膜の損傷をより一層防止することができる。また、樹脂被膜としてエポキシ樹脂を用いることにより、薄膜の樹脂被膜によって上述した効果を有効に発揮することができる。また、樹脂被膜の絶縁性や熱伝導性（放熱性）も優れたものとなる。
【００１５】
また、上記樹脂被膜は、熱硬化性樹脂を粉体塗装してなる構成とすることができる。
この場合には、中心コアの表面における所望の箇所に熱硬化性樹脂粉末を均一に精度良く塗装することができる。これにより、中心コアの表面における所望の箇所に樹脂被膜を所望の膜厚で均一に精度良く形成することができる。
【００１６】
また、上記樹脂被膜の厚みは、中心コアに巻回する一次コイルが中心コアの表面に残留する異物の影響を受けないようにするために、例えば、６０μｍ以上とすることができる。
また、上記樹脂被膜の厚みは、二次コイルを巻回する二次スプールに発生する電界強度が大きくなり、二次スプールに絶縁破壊が生じることのないように、例えば、１７０μｍ以下、好ましくは１２０μｍ以下とすることができる。
【００１７】
また、上記樹脂被膜は、絶縁性を十分に確保するために、例えば、絶縁耐力を１８ｋＶ／ｍｍ以上とすることができる。
また、上記樹脂被膜は、硬度を十分に確保するために、例えば、ショア硬度を３．７ＨＳ以上とすることができる。
また、上記樹脂被膜は、熱伝導性（放熱性）を十分に確保するために、例えば、熱伝導率を０．３Ｗ／（ｍ・Ｋ）以上とすることができる。
【００１８】
また、上記一次コイル及び上記二次コイルの外周側には、軟磁性材料粉末を圧縮成形してなり、上記モールド樹脂部によって覆われた外周コアが配設されており、該外周コアは、少なくとも一部が上記弾性被膜によって被覆されている構成とすることができる。
この場合には、点火コイルにおける加熱及び冷却の繰り返しにより外周コアとその周囲を覆うモールド樹脂部との間に発生する熱応力を弾性被膜によって緩和することができる。これにより、モールド樹脂部におけるクラックの発生を抑制することができ、耐熱衝撃性を向上させることができる。
【００１９】
また、上記弾性被膜は、シリコーン系樹脂からなる構成とすることができる。
この場合には、例えば、モールド樹脂部にエポキシ樹脂を用いたときに、中心コア（外周コア）を被覆する弾性被膜とモールド樹脂部とを剥離させることができる。これにより、点火コイルにおける加熱及び冷却の繰り返しにより中心コア（外周コア）とモールド樹脂部との間に発生する熱応力を低減することができる。これにより、モールド樹脂部におけるクラックの発生をさらに抑制することができ、耐熱衝撃性をより一層向上させることができる。また、弾性被膜としてシリコーン系樹脂を用いることにより、薄膜の弾性被膜によって上述した効果を有効に発揮することができる。
【００２０】
また、上記中心コアを被覆する上記弾性被膜の厚みは、中心コアとその周囲を覆うモールド樹脂部との間に発生する熱応力を十分に緩和するために、例えば、１μｍ以上とすることができる。また、磁気特性等の性能に影響を及ぼさないように、例えば、５０μｍ以下とすることができる。
【００２１】
また、上記外周コアを被覆する上記弾性被膜の厚みは、外周コアとその周囲を覆うモールド樹脂部との間に発生する熱応力を十分に緩和するために、例えば、１μｍ以上とすることができる。また、外周コアの内側においては、二次コイルとの絶縁性を確保するために、例えば、５０μｍ以下とすることができる。また、それ以外の部分においては、外周コア等を収容するケースとの間の隙間を確保し、組付性に問題が生じないように、例えば、１００μｍ以下とすることができる。
【実施例】
【００２２】
（実施例１）
上記点火コイルにかかる実施例について、図を用いて説明する。
本例の点火コイル１は、図１〜図３に示すごとく、軟磁性材料粉末を圧縮成形してなる中心コア２３と、中心コア２３に巻回された一次コイル２１と、一次コイル２１の外周側に配設された二次コイル２２と、熱硬化性樹脂からなり、中心コア２３、一次コイル２１及び二次コイル２２を覆うモールド樹脂部２９とを備えている。
中心コア２３の表面２３０の少なくとも一次コイル２１が巻回される部分は、熱硬化性樹脂からなる樹脂被膜４１によって被覆されており、樹脂被膜４１によって被覆された中心コア２３の少なくとも一部は、弾性を有する弾性被膜４２によって被覆されている。
以下、これを詳説する。
【００２３】
図１、図２に示すごとく、点火コイル１は、ケース３１内に、一次コイル２１、二次コイル２２、中心コア２３、外周コア２４等の構成部品を配置して構成されている。
なお、図１は、ケース３１内に各構成部品を組み付けた状態を側方から見た断面で示す。また、図２は、ケース３１内に各構成部品を組み付けた状態を上方から見た平面で示す。ただし、モールド樹脂部２９の図示を省略してある。
【００２４】
図１に示すごとく、一次コイル２１及び二次コイル２２は、ケース３１内において、同心状に内外周に重なって配置されている。一次コイル２１は、中心コア２３に一次電線（銅線）を巻回して略円筒状に形成されている。二次コイル２２は、一次コイル２１の外周側に配置された絶縁樹脂製の二次スプール２５に、一次電線よりも細い二次電線（銅線）を一次電線よりも多い巻回数で巻回して略円筒状に形成されている。一次電線及び二次電線の表面は、絶縁被膜によって被覆されている。
【００２５】
同図に示すごとく、中心コア２３は、一次コイル２１及び二次コイル２２の内周側であって、一次コイル２１及び二次コイル２２の軸心位置に配置されている。また、中心コア２３は、一次コイル２１を構成する一次電線を巻回するために、略円柱形状に形成されている。また、中心コア２３は、軟磁性材料粉末を圧縮成形して形成されている。
【００２６】
図３に示すごとく、中心コア２３の外周面２３３は、熱硬化性樹脂であるエポキシ樹脂からなる樹脂被膜４１によって被覆されている。すなわち、中心コア２３の表面２３０の一次コイル２１が巻回される部分は、樹脂被膜４１によって被覆されている。樹脂被膜４１は、エポキシ樹脂を粉体塗装して形成されている。具体的には、エポキシ樹脂粉体を中心コア２３の外周面２３３に吹き付け、その吹き付けたエポキシ樹脂粉体を加熱することによって形成されている。
なお、図３は、図１から一次コイル２１、中心コア２３及び外周コア２４を抜き出して拡大して示したものである。
【００２７】
また、樹脂被膜４１の厚みは、６０〜１７０μｍである。また、樹脂被膜４１は、絶縁性を十分に確保するために、絶縁耐力が１８ｋＶ／ｍｍ以上である。また、樹脂被膜４１は、硬度を十分に確保するために、ショア硬度が３．７ＨＳ以上である。また、樹脂被膜４１は、熱伝導性（放熱性）を十分に確保するために、熱伝導率が０．３Ｗ／（ｍ・Ｋ）以上である。
【００２８】
同図に示すごとく、樹脂被膜４１によって被覆された中心コア２３は、軸方向一端面２３１の中央部を除く部分（軸方向一端面２３１の外周部、軸方向他端面２３２、外周面２３３）がシリコーン系樹脂からなる弾性被膜４２によって被覆されている。
具体的には、中心コア２３の表面２３０に樹脂被膜４１が設けられている部分は、その樹脂被膜４１上に弾性被膜４２が設けられている。また、中心コア２３の表面２３０に樹脂被膜４１が設けられていない部分は、中心コア２３の表面２３０上に弾性被膜４２が設けられている。弾性被膜４２の厚みは、１〜５０μｍである。
【００２９】
図１、図２に示すごとく、一次コイル２１及び二次コイル２２の外周側には、外周コア２４が配置されている。外周コア２４は、一次コイル２１、二次コイル２２及び中心コア２３を内側に配置することができるように、略四角形環状に形成されている。また、外周コア２４は、中心コア２３と同様に、軟磁性材料粉末を圧縮成形して形成されている。
【００３０】
図３に示すごとく、外周コア２４の表面２４０全体は、シリコーン系樹脂からなる弾性被膜４２によって被覆されている。弾性被膜４２の厚みは、外周コア２４の内周面２４１（中心コア２３に対向している面）において１〜５０μｍであり、それ以外の部分において１〜１００μｍである。
【００３１】
図１、図２に示すごとく、ケース３１内には、一次コイル２１への通電及びその遮断を行うためのスイッチング制御回路を備えたイグナイタ２６が配置されている。イグナイタ２６に隣接する位置には、イグナイタ２６の導電端子２６１をＥＣＵ（電子制御ユニット）等の外部機器と接続するためのコネクタ部２７が設けられている。コネクタ部２７の導電端子２７１は、イグナイタ２６の導電端子２６１に接合されている。
また、ケース３１には、点火コイル１をエンジンに取り付けるための取付部３１１と、二次コイル２２の高電圧側巻線端部に導通させた高電圧端子２２１を配置するためのタワー部３１２とが突出形成されている。
【００３２】
図１に示すごとく、一次コイル２１、二次コイル２２、中心コア２３、外周コア２４等の構成部品が収容されたケース３１内の隙間は、熱硬化性樹脂であるエポキシ樹脂からなるがモールド樹脂部２９によって充填されている。モールド樹脂部２９は、一次コイル２１、二次コイル２２、中心コア２３、外周コア２４等の構成部品を絶縁状態で固定している。
【００３３】
図４に示すごとく、上記構成の点火コイル１は、エンジン（シリンダヘッド８１及びシリンダヘッドカバー８２）のプラグホール８３の外部に横置き状態（プラグホール８３の軸方向に対して一次コイル２１及び二次コイル２２の軸方向を直交させた状態）で配置して用いられる。
また、点火コイル１は、プラグ装着部３２を介して、エンジンのプラグホール８３内に配置されたスパークプラグ７に装着される。
【００３４】
具体的に、プラグ装着部３２は、タワー部３１２、高電圧端子２２１、プラグキャップ６１及びコイルスプリング６２によって構成されている。また、プラグ装着部３２は、一次コイル２１及び二次コイル２２の軸方向に直交して形成されている。タワー部３１２の外周には、スパークプラグ７の碍子部７１の外周に装着されるゴム製のプラグキャップ６１が取り付けられている。プラグキャップ６１内には、スパークプラグ７の端子部７２と高電圧端子２２１とを導通させるコイルスプリング６２が配置されている。
そして、点火コイル１は、コイルスプリング６２にスパークプラグ７の端子部７２を接触させると共に、プラグキャップ６１内にスパークプラグ７の碍子部７１を圧入して、シリンダヘッド８１に螺合したスパークプラグ７に装着される。
【００３５】
次に、本例の点火コイル１における作用効果について説明する。
本例の点火コイル１において、軟磁性材料粉末を圧縮成形してなる中心コア２３の表面２３０の少なくとも一次コイル２１が巻回される部分は、熱硬化性樹脂からなる樹脂被膜４１によって被覆されている。そのため、圧縮成形によって中心コア２３の表面２３０に異物が残留したとしても、樹脂被膜４１によってその異物の影響を受けることなく、中心コア２３に直接一次コイル２１を巻回することができる。これにより、一次コイル２１の電線を被覆する絶縁被膜が中心コア２３の表面２３０に残留する異物によって損傷することを防止することができ、一次コイル２１の絶縁性を十分に確保することができる。
【００３６】
また、樹脂被膜４１によって被覆された中心コア２３の少なくとも一部は、弾性を有する弾性被膜４２によって被覆されている。そのため、点火コイル１における加熱及び冷却の繰り返しにより中心コア２３とその周囲を覆うモールド樹脂部２９との間に発生する熱応力を弾性被膜４２によって緩和することができ、モールド樹脂部２９におけるクラックの発生を抑制することができる。これにより、中心コア２３に巻回される一次コイル２１の絶縁性を十分に確保しながら、耐熱衝撃性を向上させることができる。
【００３７】
また、本例において、樹脂被膜４１は、エポキシ樹脂からなる。そのため、中心コア２３の表面２３０が高硬度で平滑な樹脂被膜４１によって被覆されることになる。これにより、一次コイル２１の絶縁被膜の損傷をより一層防止することができる。また、樹脂被膜４１としてエポキシ樹脂を用いることにより、薄膜の樹脂被膜４１によって上述した効果を有効に発揮することができる。また、樹脂被膜４１の絶縁性や熱伝導性（放熱性）も優れたものとなる。
【００３８】
また、樹脂被膜４１は、熱硬化性樹脂を粉体塗装してなる。そのため、中心コア２３の表面２３０における所望の箇所に熱硬化性樹脂粉末を均一に精度良く塗装することができる。これにより、中心コア２３の表面２３０における所望の箇所に樹脂被膜４１を所望の膜厚で均一に精度良く形成することができる。
【００３９】
また、一次コイル２１及び二次コイル２２の外周側には、軟磁性材料粉末を圧縮成形してなり、モールド樹脂部２９によって覆われた外周コア２４が配設されており、外周コア２４は、少なくとも一部が弾性被膜４２によって被覆されている。そのため、点火コイル１における加熱及び冷却の繰り返しにより外周コア２４とその周囲を覆うモールド樹脂部２９との間に発生する熱応力を弾性被膜４２によって緩和することができる。これにより、モールド樹脂部２９にクラックが発生することを抑制することができ、耐熱衝撃性を向上させることができる。
【００４０】
また、弾性被膜４２は、シリコーン系樹脂からなる。そのため、本例のように、モールド樹脂部２９にエポキシ樹脂を用いたときに、中心コア２３（外周コア２４）を被覆する弾性被膜４２とモールド樹脂部２９とを剥離させることができる。これにより、点火コイル１における加熱及び冷却の繰り返しにより中心コア２３（外周コア２４）とモールド樹脂部２９との間に発生する熱応力を低減することができる。これにより、モールド樹脂部２９にクラックが発生することをさらに抑制することができ、耐熱衝撃性をより一層向上させることができる。また、弾性被膜４２としてシリコーン系樹脂を用いることにより、薄膜の弾性被膜４２によって上述した効果を有効に発揮することができる。
【００４１】
このように、本例によれば、中心コア２３に巻回される一次コイル２１の絶縁性を十分に確保し、耐熱衝撃性を向上させることができる点火コイル１を提供することができる。
【００４２】
（実施例２）
本例は、実施例１の点火コイルの二次スプールに発生する電界強度について、ＦＥＭ解析を行った例である。
本例では、中心コアの表面を被覆する樹脂被膜の厚みに対する二次スプール（絶縁耐力：３５ｋＶ／ｍｍ）に発生する電界強度について、ＦＥＭ解析を行った。なお、ＦＥＭ解析の演算には、Ｄｅｓｉｇｎ  Ｓｐａｃｅ（サイバーネットシステム株式会社製）を用いた。
【００４３】
図５にＦＥＭ解析の結果を示す。同図は、横軸が樹脂被膜の厚み（μｍ）、縦軸が二次スプールに発生する電界強度（ｋＶ／ｍｍ）である。
同図から、中心コアの表面を被覆する樹脂被膜の厚みが大きくなるほど、二次スプールに発生する電界強度も大きくなることがわかった。そして、樹脂被膜の厚みが１７０μｍを超えると、二次スプールに発生する電界強度が絶縁耐力：３５ｋＶ／ｍｍを超え、二次スプールの絶縁性を確保することができないおそれがあることがわかった。
【００４４】
以上の結果から、点火コイルにおいて、二次スプールの絶縁性を確保するためには、中心コアの表面を被覆する樹脂被膜の厚みを１７０μｍ以下とすることが好ましいことがわかった。また、樹脂被膜の厚みを１２０μｍ以下とすれば、二次スプールの絶縁性を十分に確保できることがわかった。
【符号の説明】
【００４５】
１  点火コイル
２１  一次コイル
２２  二次コイル
２３  中心コア
２３０  表面（中心コアの表面）
２９  モールド樹脂部
４１  樹脂被膜
４２  弾性被膜
【図１】
0005966620.tif 000002
【図２】
0005966620.tif 000003
【図３】
0005966620.tif 000004
【図４】
0005966620.tif 000005
【図５】
0005966620.tif 000006